(57)【要約】【課題】各種イベントに参加する無線ＬＡＮ搭載型の携帯端末を所持する多数の参加者に、イベント会場内の無線ＬＡＮアクセスポイントを使用して有益な情報を提供するイベント開催方法およびシステムを提供する。【解決手段】イベントのチケット購入時に無線ＬＡＮ搭載型の携帯端末１６の電話番号・ＭＡＣアドレスを登録し、イベント開催当日にイベント会場へ入ると、携帯端末１６の電波を圏外とする装置１４により携帯端末１６を制限すると共に、開催されるイベントに応じて関連する画像情報等の各種の情報を画像配信サーバ１２から無線ＬＡＮアクセスポイント（ＡＰ）１５を介して予め登録された携帯端末１６に配信する。【選択図】図１
2006163763.tif 000002
【特許請求の範囲】
【請求項１】
チケットを購入した多数の参加者を会場に集めてコンサート等のイベントを開催するイベント開催方法において、
前記チケットの購入時にチケット購入者の携帯端末の電話番号・ＭＡＣアドレスを登録することと、前記イベント会場では前記携帯端末の電波を強制的に圏外とすることと、前記登録された携帯端末に前記イベント会場の画像配信サーバから画像情報を配信することとを特徴とするイベント開催方法。
【請求項２】
前記画像配信サーバから前記登録された携帯端末に配信される画像情報は、前記開催中のイベントに関連する情報であることを特徴とする請求項１に記載のイベント開催方法。
【請求項３】
前記画像情報サーバは、前記登録された携帯端末に複数の情報を配信し、前記携帯端末のユーザは、前記配信される複数の情報を選択可能にすることを特徴とする請求項１又は２に記載のイベント開催方法。
【請求項４】
前記画像情報サーバは、前記イベントの開催中か否かを判断し、前記イベントが開催されていない時間には、前記イベント会場特製グッズ等の情報を配信することを特徴とする請求項１、２又は３に記載のイベント開催方法。
【請求項５】
前記画像配信サーバは、前記登録された携帯端末からの通知に基づき、前記イベント会場外の無線ＬＡＮアクセスポイントを介して前記イベントに関する画像情報を配信することを特徴とする請求項１乃至４の何れかに記載のイベント開催方法。
【請求項６】
多数の参加者が参加可能なイベント会場でコンサート等のイベントを開催するイベント開催システムにおいて、
前記イベント会場には、管理者が配信する画像情報を生成する画像配信サーバと、該画像配信サーバの生成する画像情報を送信する無線ＬＡＮアクセスポイントと、前記イベント会場への来場者が保有する無線ＬＡＮ搭載型の携帯端末と、該携帯端末が予め登録された携帯端末であることを確認する認証サーバと、前記携帯端末の電波を圏外にする装置とを備え、前記イベント会場において前記登録された携帯端末に対して前記画像配信サーバからの画像情報を前記無線ＬＡＮアクセスポイントを介して配信することを特徴とするイベント開催システム。
【請求項７】
複数のカメラを備え、前記イベント会場で開催されるイベントに関連する複数の画像情報を前記画像配信サーバに送信することを特徴とする請求項６に記載のイベント開催システム。
【請求項８】
前記イベント会場の無線ＬＡＮアクセスポイントは、直接又はインターネット等のネットワークを介して前記イベント会場外の登録された携帯端末へ前記画像情報を配信することを特徴とする請求項６又は７に記載のイベント開催システム。
【発明の詳細な説明】
【技術分野】
【０００１】
本発明はイベント開催方法およびシステムに関し、特にライブ・コンサート、演奏会、舞台、競技等の各種行事（以下、本明細書中ではこれらを総称してイベントという）を、ＩＴ技術を活用して効率的に開催するイベント開催方法およびシステムに関する。
【背景技術】
【０００２】
イベントの開催には、会場の確保・設定、チケットの販売、参加者への適切な情報提供その他の準備又は手配が必須であり、斯かる作業を如何に効率的に行なうかがイベント成功の大きな要因となる。多数の観客が参加する大規模のイベントにあっては、如何に広い会場を用意しても、全ての参加者を満足させることは不可能又は極めて困難である。また、海外アーティストによる公演（例えば、オペラ等）にあっては、その筋書き、歌詞の意味等の関連情報や出演者の表情等を遠く離れた場所（又は座席）の参加者に伝えることは困難である。
【０００３】
斯かる困難を解決するために、字幕の使用や大きなモニタ画面による映像および文字表示が行なわれている。斯かるイベントの補助技術に関する従来技術は、幾つかの技術文献に開示されている。コンサートの映像および音楽を収集手段で収集し、収集された映像および音楽を通信手段により配信する配信手段を設けたコンサートの映像および音楽の配信装置が開示されている（例えば、特許文献１参照。）。また、イベント会場等に設置されたカメラにより取得した画像データを入場者のデジタルカメラ等に無線ＬＡＮにより送信し、希望するシーンをキャプチャしてデジタルカメラに記憶可能にする撮像装置、画像受信装置および撮像システムが開示されている（例えば、特許文献２参照。）。
【０００４】
【特許文献１】特開２００１−８１８６号公報（第２−３頁、第１図）
【特許文献２】特開２００４−６４４２４号公報（第５−６頁、第１図）
【発明の開示】
【発明が解決しようとする課題】
【０００５】
しかし、従来のイベント開催方法には、幾つかの課題があった。先ず、ライブ・コンサート・演奏会・舞台・競技等のイベントのチケット購入方法は、購入時の記録に関しては公演当日特に考慮されておらず、当日購入者と別の者が会場に来ても分からなかった。よって、特定の人の大量買占めやダフ屋による不当な販売があった。特に人気のある公演に関しては、定価を遥かに上回る高値がつき、公平なチケット購入ができないという問題点があった。また、チケット購入者に対して一定の制限があるイベントの公演の場合には、当日来客の本人確認を身分証で行うこともあるが、本人確認に時間がかかり、全員が会場に入るまでに想定以上の時間がかかってしまうという問題点があった。
【０００６】
更に、イベントの公演によっては席によって価格設定の差がある場合もあるが、特にライブ・コンサートにおいては、価格に差がない場合が殆どである。しかし、従来のライブ・演奏会・舞台・競技・イベント等の公演では価格差がないにも関わらず、後ろの方の席や見えにくい席の人に対しての対処は、当日会場のスクリーンで映像を表示するだけである。この時、広い会場でスクリーンでの拡大表示さえ良く見えない場合や、スクリーンを頼りに見ている際に、リアル映像ではなく、歌っている曲のプロモーションビデオが流れたり、演出上の背景が流れたりした場合、および、途中でスクリーンが故障した場合等の対処がされていないという問題点があった。また、スクリーンもなく、見えにくい席への対処が特に考慮されていない場合も少なくなかった。
【０００７】
本発明は、従来技術の上述した課題に鑑みなされたものであり、従来技術の課題を解消又は軽減するイベント開催方法およびシステムを提供することを主たる目的とする。
【課題を解決するための手段】
【０００８】
前述の課題を解決するため、本発明によるイベント開催方法およびシステムは、次のような特徴的な構成を採用している。
【０００９】
（１）チケットを購入した多数の参加者を会場に集めてコンサート等のイベントを開催するイベント開催方法において、
前記チケットの購入時にチケット購入者の携帯端末の電話番号・ＭＡＣアドレスを登録することと、前記イベント会場では前記携帯端末の電波を強制的に圏外とすることと、前記登録された携帯端末に前記イベント会場の画像配信サーバから画像情報を配信するイベント開催方法。
（２）前記画像配信サーバから前記登録された携帯端末に配信される画像情報は、前記開催中のイベントに関連する情報である上記（１）のイベント開催方法。
（３）前記画像情報サーバは、前記登録された携帯端末に複数の情報を配信し、前記携帯端末のユーザは、前記配信される複数の情報を選択可能にする上記（１）又は（２）のイベント開催方法。
（４）前記画像情報サーバは、前記イベントの開催中か否かを判断し、前記イベントが開催されていない時間には、前記イベント会場特製グッズ等の情報を配信する上記（１）、（２）又は（３）のイベント開催方法。
（５）前記画像配信サーバは、前記登録された携帯端末からの通知に基づき、前記イベント会場外の無線ＬＡＮアクセスポイントを介して前記イベントに関する画像情報を配信する上記（１）乃至（４）の何れかのイベント開催方法。
（６）多数の参加者が参加可能なイベント会場でコンサート等のイベントを開催するイベント開催システムにおいて、
前記イベント会場には、管理者が配信する画像情報を生成する画像配信サーバと、該画像配信サーバの生成する画像情報を送信する無線ＬＡＮアクセスポイントと、前記イベント会場への来場者が保有する無線ＬＡＮ搭載型の携帯端末と、該携帯端末が予め登録された携帯端末であることを確認する認証サーバと、前記携帯端末の電波を圏外にする装置とを備え、前記イベント会場において前記登録された携帯端末に対して前記画像配信サーバからの画像情報を前記無線ＬＡＮアクセスポイントを介して配信するイベント開催システム。
（７）複数のカメラを備え、前記イベント会場で開催されるイベントに関連する複数の画像情報を前記画像配信サーバに送信する上記（６）のイベント開催システム。
（８）前記イベント会場の無線ＬＡＮアクセスポイントは、直接又はインターネット等のネットワークを介して前記イベント会場外の登録された携帯端末へ前記画像情報を配信する上記（６）又は（７）のイベント開催システム。
【発明の効果】
【００１０】
本発明のイベント開催方法およびシステムによると、次の如き実用上の顕著な効果が得られる。先ず、チケットの大量買占めやダフ屋による違法な高額チケットの販売を減らすことが可能である。その理由は、チケットの購入時に電話番号やＭＡＣアドレスを登録した人しか無線ＬＡＮサービスを受けられないため、オークションやダフ屋から購入したチケットを保持する者はサービスを受けることができないためである。また、舞台上におけるイベントの現在の様子を確実に見ることが可能である。その理由は、無線ＬＡＮサービスを受けることのできるユーザの無線ＬＡＮ搭載型の携帯端末に、カメラで撮影している映像を管理者からリアルタイムで配信されるからである。
【００１１】
更に、イベント会場にスクリーンが設けられており、会場の後部でスクリーンがよく見えない人のために舞台上の様子をリアルタイムで映像、字幕又は背景を表示している場合に、会場の後方でよく見えない場合でも、特にみたい映像をユーザが選択して見ることが可能である。その理由は、複数台のカメラ撮影している場合に、無線ＬＡＮサービスによりユーザの無線ＬＡＮ搭載の携帯端末に対して管理者からの配信（Broadcast）を受けて、希望する映像をユーザが選択して表示可能であるからである。また、イベントの主催者および管理者の収益向上に寄与することが可能である。その理由は、チケット購入時に電話番号やＭＡＣアドレスを登録した人しか無線ＬＡＮサービスが受けられないので、来場客の限定に対する心理をついて、集客増加が可能であるからである。更にまた、イベント主催者側の関連グッズ販売および会場売店の販売の収益向上に寄与する。その理由は、オークションやダフ屋からの高額チケットを買うことが少なくなるので、ユーザの予算に余裕ができるからである。
【００１２】
また、交通渋滞その他の理由で万一イベント会場への到着がイベントの開演時間に遅れても、電話番号・ＭＡＣアドレスを登録した携帯端末を保持すると、イベント会場からイベント情報が配信されるので、イベントを少なくとも部分的に楽しむことが可能である。その理由は、イベント会場の管理者の画像配信サーバの画像情報をイベント会場の無線ＬＡＮのＡＰから直接又はインターネットを介して最寄の無線ＬＡＮのＡＰを介して登録したユーザに配信可能であるからである。
【実施例１】
【００１３】
以下、本発明によるイベント開催方法およびシステムの好適実施例の構成および動作を、添付図面を参照して詳細に説明する。
【００１４】
先ず、図１は、本発明によるイベント開催システムの第１実施例のシステム構成図を示す。このイベント開催システム１０は、複数の撮影用カメラ１１、管理者の画像情報配信サーバ１２、認証サーバ１３、携帯端末の電波を圏外にする装置１４、無線ＬＡＮアクセスポイント（ＡＰ）１５およびユーザが保持する無線ＬＡＮ搭載型の携帯端末１６で構成される。
【００１５】
ここで、カメラ１１と管理者の画像配信サーバ１２との間は、無線又は有線により接続されている。ＡＰ１５とユーザの携帯端末１６との間は、無線により接続されている。また、携帯端末の電波を圏外とする装置１４は、イベント会場内の携帯端末１６に対して妨害電波を発射する。このイベント開催システム１０では、後述する如く、複数のカメラ１１により撮影された複数の画像（又は映像）情報がユーザの携帯端末１６に配信され、これら画像情報をユーザが選択可能できるようにしている。
【００１６】
次に、図２のフローチャートを参照して図１に示す本発明の第１実施例によるイベント開催システム１０の動作を詳細に説明する。先ず、イベント開催前のチケット購入時に、購入チケット枚数分、即ち、イベントへの公演に参加する全員についての電話番号およびＭＡＣアドレスをチケット購入者が登録する（ステップＡ１）。次に、イベント参加者は、携帯端末１６を持って、イベント会場へ出かける（ステップＡ２）。上述した登録内容に基づきイベント当日のイベント開催時間帯に、管理者の認証サーバ１３は、イベント会場内で無線ＬＡＮを利用する携帯端末１６を制限する。当日会場では、通常の携帯電話機能を使用できないように、携帯端末１６の電波を圏外にする装置１４を使用して、意図的に管理者側で来場客全員の携帯端末１６の電波を圏外とする（ステップＡ３）。
【００１７】
次に、認証サーバ１３が、チケット購入時に電話番号・ＭＡＣアドレスを登録した無線ＬＡＮ搭載型の携帯端末１６か否か、即ち許可されたユーザ否かを確認する（ステップＡ４）。許可されたユーザでない場合（ステップＡ４：Ｎｏ）には、通信機能および無線ＬＡＮに関するサービスを受けることができない（ステップＡ５）。チケット購入時に電話番号・ＭＡＣアドレスを登録した無線ＬＡＮ搭載型の携帯端末１６のユーザである場合（ステップＡ４：Ｙｅｓ）には、認証サーバ１３から暗号鍵を配布する（ステップＡ６）。
【００１８】
次に、イベントの公演時間中か否かを判断する（ステップＡ７）。イベントが公演中でない場合（ステップＡ７：Ｎｏ）には、場内のＡＰ１５を介した携帯端末１６同士の通信を許可する（ステップＡ８）。一方、イベントが公演中の場合（ステップＡ７：Ｙｅｓ）には、撮影カメラ１１で撮影し、暗号化した現在の公演の撮影映像をリアルタイムでＡＰ１５を用いて会場内のＡＰ１５の使用を許可されたユーザの無線ＬＡＮ搭載型の携帯端末１６に配信する（ステップＡ９）。そして、携帯端末１６間の送受信は非許可とする（ステップＡ１０）。
【００１９】
次に、複数のカメラ１１で撮影した映像があるか否か判断する（ステップＡ１１）。複数台の撮影カメラ１１で撮影した映像が何種類かある場合（ステップＡ１１：Ｙｅｓ）には、全ての種類の映像を暗号化して配信する（ステップＡ１２）。そこで、ユーザは、各自の携帯端末１６で見たい映像を選択可能である（ステップＡ１３）。更に、ユーザには、この映像を壁紙にできる等の各種サービスを受ける特典が与えられる（ステップＡ１４）。尚、上述したステップＡ１１で、複数の映像がない場合には、ステップＡ１２およびＡ１３をバイパスして、上述したステップＡ１４へ進む。
【００２０】
次に、イベントの公演が終了したか否かを判断する（ステップＡ１５）。イベント終了後（ステップＡ１５：Ｙｅｓ）には、会場内にいる間はＡＰ１５を介した登録ユーザ間の無線ＬＡＮ搭載型の携帯端末１６で相互送受信が可能となる（ステップＡ１６）。最後に、会場から出る際に、意図的に圏外にしてあった無線ＬＡＮ搭載型の携帯端末１６に対して、圏外を解除して通信を許可する（ステップＡ１７）。尚、イベントの公演が終了していない場合（ステップＡ１５：Ｎｏ）には、上述したステップＡ７へ戻る。
【００２１】
また、イベントの公演会場で、管理者側が通常の携帯電話機能を使用できないように、意図的に携帯端末１６の電波を圏外とし、チケット購入時に電話番号・ＭＡＣアドレスを登録した無線ＬＡＮ搭載の携帯端末１６にのみ、ＡＰ１５のサービスを受けることを可能とする。そして、管理者側にて、ＡＰ１５を介した携帯端末１６相互間の通信を、公演中かその他の時間で規制し、更に公演中において、必要に応じて歌詞・字幕等の文字情報もＡＰ１５を用いて会場内の登録済み無線ＬＡＮ搭載携帯端末１６に配信し、各自携帯端末１６で見られるようにして一層多くの人が共に楽しむことができるBroadcastを用いた文字情報の提供を行うことも可能である。
【実施例２】
【００２２】
次に、本発明によるイベント開催方法およびシステムの第２実施例を説明する。図３は、本発明による第２実施例のイベント開催システム３０のシステム構成図である。このイベント開催システム３０は、管理者の画像配信サーバ３２、携帯端末の電波を圏外にする装置３４、無線ＬＡＮアクセスポイント（ＡＰ）３４、認証サーバ３３およびユーザの無線ＬＡＮ搭載型の携帯端末３６により構成される。そして、ＡＰ３５と登録ユーザの携帯端末３６との間は、無線により接続されている。携帯端末３６の電波を圏外にする装置３４は、イベント会場内の全ての携帯端末３６に対して妨害電波を発射する。
【００２３】
後述する如く、このイベント開催システム３０は、イベント会場の管理者の画像配信サーバ３２から無線ＬＡＮのＡＰ３５を介して、予め電話番号・ＭＡＣアドレスを登録したユーザの携帯端末３６のみにイベントに関連する情報を配信可能にしている。
【００２４】
次に、図４のフローチャートを参照して図３に示すイベント開催装置３０の動作を詳細に説明する。先ず、イベント開催前のチケット購入時に、チケット枚数分、即ち当日イベントの公演に参加する人全員についての電話番号・ＭＡＣアドレスをチケット購入者が登録する（ステップＢ１）。チケット購入者は、このチケットを持ってイベント当日に会場へ出かける（ステップＢ２）。イベント会場内では、イベント会場の管理者側の意図で来場者（即ち、イベント参加者）全員の携帯端末３６を、携帯端末の電波を圏外にする装置３４からの妨害電波により、圏外として使用不可能にする（ステップＢ３）。
【００２５】
次に、認証サーバ３３が、チケット購入時に電話番号・ＭＡＣアドレスを事前に登録した無線ＬＡＮ搭載型の携帯端末３６か否かを確認する（ステップＢ４）。非登録のユーザ、即ち会場での無線ＬＡＮの使用が許可されていないユーザの場合（ステップＢ４：Ｎｏ）には、通信機能および無線ＬＡＮに関するサービスを一切受けることができない（ステップＢ５）。一方、チケット購入時に電話番号・ＭＡＣアドレスを登録した無線ＬＡＮ搭載型の携帯端末３６については、認証サーバ３３から暗号鍵を配布する（ステップＢ６）。
【００２６】
次に、イベントの公演時間中か否かを判断する（ステップＢ７）。イベントが公演中でない場合（ステップＢ７：Ｎｏ）には、携帯端末３６間の相互通信を許可する（ステップＢ８）。一方、イベントが公演中の場合（ステップＢ７：Ｙｅｓ）には、イベント会場内の無線ＬＡＮのＡＰ３５を介した携帯端末３６相互間の通信を管理者側で禁止し（ステップＢ９）、そして無線ＬＡＮのＡＰ３５を用いて、公演中のイベントの必要性に応じた情報、例えばイベント参加者がイベントの出演者と一緒に歌う場合の歌詞等を会場内の登録済み無線ＬＡＮ搭載型の携帯端末３６に配信し、各ユーザが携帯端末３６で見られるようにする（ステップＢ１０）。
【００２７】
次に、公演が終了したか否かを判断する（ステップＢ１１）。公演終了の場合（ステップＢ１１：Ｙｅｓ）には、会場内にいる間は無線ＬＡＮのＡＰ３５を介した登録ユーザが保持する無線ＬＡＮ搭載型の携帯端末３６の相互送受信が可能となる（ステップＢ１２）。一方、公演終了でない場合（ステップＢ１１：Ｎｏ）には、上述したステップＢ７へ戻る。最後に、会場から出る際に、意図的に圏外にしてあった無線ＬＡＮ搭載型の携帯端末３６に対して、圏外を解除し、通信を許可する（ステップＢ１３）。
【実施例３】
【００２８】
次に、本発明によるイベント開催方法およびシステムの第３実施例を説明する。この第３実施例は、図３と同様に、管理者の画像配信サーバ３２、携帯端末の電波を圏外にする装置３４、無線ＬＡＮアクセスポイント（ＡＰ）３５、認証サーバ３３およびユーザの無線ＬＡＮ搭載型の携帯端末３６により構成される。このイベント開催システムは、イベント開催当日であっても、例えばイベント休憩中には、携帯端末３６間で相互に通信を可能にすると共に、管理者から会場限定グッズ等に関する情報を配信可能にする。
【００２９】
次に、図５のフローチャートを参照して本発明の第３実施例の動作を説明する。先ず、チケット購入時に、チケット枚数分、即ち当日イベントの公演に参加する人全員についての電話番号・ＭＡＣアドレスをチケット購入者が登録する（ステップＣ１）。この登録内容に基づき、イベント開催当日、チケットを購入した参加者がイベント会場へ出かける（ステップＣ２）。そこで、管理者の認証サーバ３３がイベント会場内で無線ＬＡＮのＡＰ３５を利用する携帯端末３６を制限する。また、当日会場では通常の携帯電話機能を使用できないように、携帯端末３６の電波を圏外にする装置３４を使用して、意図的に管理者側で来場客全員の携帯端末３６の電波を圏外とする（ステップＣ３）。
【００３０】
次に、認証サーバ３３が、チケット購入時に電話番号・ＭＡＣアドレスを登録した無線ＬＡＮ搭載型の携帯端末３６か否かを確認する（ステップＣ４）。チケット購入時に電話番号・ＭＡＣアドレスを登録した無線ＬＡＮ搭載型の携帯端末３６にのみ、認証サーバ３３から暗号鍵を配布し（ステップＣ６）、そうでないユーザの無線ＬＡＮ搭載型の携帯端末３６は、通信機能および無線ＬＡＮのＡＰ３５に関する全てのサービスは受けることができない（ステップＣ５）。
【００３１】
次に、イベントの公演時間中か否か判断する（ステップＣ７）。公演中の場合（ステップＣ７：Ｙｅｓ）には、場内の無線ＬＡＮのＡＰ３５を介した携帯端末３６同士の通信を管理者側で禁止し（ステップＣ１０）、公演中にユーザが必要とすると思われる各種情報を配信する（ステップＣ１１）。一方、公演中以外の場合（ステップＣ７：Ｎｏ）には、無線ＬＡＮのＡＰ３５を介した会場内の携帯端末３６同士の相互通信を許可する（ステップＣ８）。そして、公演中以外の時間帯の管理者側からの必要な情報通知の他、会場限定のグッズ販売の申し込み等を行うことを許可する（ステップＣ９）。
【００３２】
次に、イベントの公演が終了したか否か判断する（ステップＣ１２）。公演が未終了の場合（ステップＣ１２：Ｎｏ）には、上十津市他ステップＣ７へ戻る。一方、公演終了の場合（ステップＣ１２：Ｙｅｓ）には、会場から出る際に、意図的に圏外にしてあった無線ＬＡＮ搭載携帯端末３６に対して携帯端末３６間の送受信を許可し（ステップＣ１３）、最後に圏外を解除して通信を許可する（ステップＣ１４）。
【実施例４】
【００３３】
次に、本発明によるイベント開催方法およびシステムの第４実施例を、図６および図7を参照して説明する。この第４実施例は、何らかの都合により、当日イベントの開演時間に間に合わない人に対して、無線ＬＡＮの利用が可能な一定の場所では、チケットの購入時に電話番号・ＭＡＣアドレスを登録した無線ＬＡＮ搭載の携帯端末にのみ、イベント公演の映像の途中経過を配信サービスの提供を行うものである。
【００３４】
図６は、この第４実施例のイベント開催システム６０のシステム構成図である。このイベント開催装置６０は、管理者の画像配信サーバ６２、管理者側の認証サーバ６３、会場の無線ＬＡＮアクセスポイント（ＡＰ）６５Ａ、会場近くのユーザの無線ＬＡＮ搭載携帯端末６６、携帯端末６６のユーザの最寄ＡＰ６５Ｂ、６５Ｃおよびインターネット６９により構成されている。ここで、ＡＰ６５Ｂは、携帯端末６６のユーザがイベント会場の近くに来ている場合のＡＰであり、ＡＰ６５Ｃは、携帯端末６６のユーザがイベント会場から遠い場合のＡＰである。
【００３５】
次に、図７のフローチャートを参照して、図６に示す第４実施例のイベント開催システム６０の動作を説明する。先ず、チケット購入時に、チケット枚数分、即ち当日イベントの公演に参加する人全員についての電話番号・ＭＡＣアドレスをチケット購入者が登録する（ステップＤ１）。当日イベントの開演時間に間に合ったか否かを判断し、間に合わなかった参加者の場合（ステップＤ２）には、管理者側に現在自分のいる場所およびチケット購入時に入力済の情報を通知する（ステップＤ３）。
【００３６】
管理者側の認証サーバ６３で登録を確認する（ステップＤ４）。この確認の後、ユーザの最寄りＡＰ６５Ｂ又は６５Ｃから現在の公演状況映像が見られるように会場のＡＰ６５Ａから暗号鍵および開演中の情報を配信する（ステップＤ５）。次に、ユーザが会場に到着すると（ステップＤ６）、意図的に管理者側で無線ＬＡＮ搭載携帯端末６６の電波を圏外とし、そのユーザに対して他のユーザと同様のサービスの開始する（ステップＤ７）。最後に、イベントの参加者が会場から出る際に、意図的に圏外にしてあった無線ＬＡＮ搭載携帯端末に対して、圏外を解除して通信を許可する（ステップＤ８）。
【００３７】
以上、本発明によるイベント開催方法およびシステムの好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００３８】
また、本発明は、種々の用途に適用可能であることが当業者には容易に理解できよう。即ち、コンサート、演奏会、舞台および競技等の各種イベントの公演以外に、例えば舞台の海外からの来日公演のとき等の日本語による字幕が舞台の進行と共に出るが、字幕の流れる速度に追いつけず、読みきれない場合には、ユーザの無線ＬＡＮ搭載型の携帯端末に直接字幕の文字が配信されるといった用途に適用できる。更に、同じ場内で同時に幾つかのイベントが開催されている場合には、イベント会場内で、ユーザの無線ＬＡＮ搭載型の携帯端末でそれらの映像を見て、ユーザの好みに合わせたイベントを選択できるといった用途にも適用可能である。
【図面の簡単な説明】
【００３９】
【図１】本発明によるイベント開催システムの第１実施例のシステム構成図である。
【図２】図１に示すイベント開催システムの動作を説明するフローチャートである。
【図３】本発明によるイベント開催システムの第２実施例のシステム構成図である。
【図４】図３に示すイベント開催システムの動作を説明するフローチャートである。
【図５】本発明によるイベント開催システムの第３実施例の動作を説明するフローチャートである。
【図６】本発明によるイベント開催システムの第４実施例のシステム構成図である。
【図７】図６に示すイベント開催システムの動作を説明するフローチャートである。
【符号の説明】
【００４０】
１０、３０、６０  イベント開催システム
１１  カメラ
１２、３２、６２  管理者の画像配信サーバ
１３、３３、６３  認証サーバ
１４、３４  携帯端末を圏外にする装置
１５、３５、６５  無線ＬＡＮアクセスポイント（ＡＰ）
１６、３６、６６  無線ＬＡＮ搭載型の携帯端末
【図１】
2006163763.tif 000003
【図２】
2006163763.tif 000004
【図３】
2006163763.tif 000005
【図４】
2006163763.tif 000006
【図５】
2006163763.tif 000007
【図６】
2006163763.tif 000008
【図７】
2006163763.tif 000009